(57)【特許請求の範囲】
【請求項１】
建具に形成した流体が流通する通路を弁で開放、閉じるようにした建具用弁装置であって、
前記通路よりも上方部分に、ほぼ半円形の凹陥部と、この凹陥部を通路に開口する開口部を有した溝形状の弁本体取付部を有し、前記通路よりも下方部分には弁本体当接部を有し、
前記弁の弁本体は、その一端部に被取付部を有し、他端部に当接部分を有すると共に、一端寄り部分は軟質材料で、当該一端寄り部分以外の部分が硬質材料で、
前記被取付部は、前記弁本体が設けられた円弧面と、この円弧面と連続した平面を有し、当該被取付部を変形して前記開口部を通して凹陥部内に開閉方向に回動可能に嵌まり合い、かつ前記凹陥部と当該被取付部の円弧面、平面との間に空間を形成する断面ほぼ半円形状で、
前記弁本体は、開閉方向に揺動自在に吊り下げて取り付けられ、この弁本体が閉じる方向に揺動することで、その弁本体の当接部分が前記弁本体当接部に当接して前記通路を閉じ、前記弁本体が開く方向に揺動することで、前記当接部分が前記弁本体当接部と離れて前記通路を開放し、
前記当接部分と弁本体当接部の少なくとも一方に、パイルを設けたことを特徴とする建具用弁装置。
【請求項２】
前記弁本体の当接部分にパイルを、前記弁本体当接部と対向して取付け、
前記弁本体は、自重により閉じる方向に揺動してパイルが弁本体当接部に接している請求項１記載の建具用弁装置。
【請求項３】
請求項１又は２記載の建具用弁装置を備えた建具。
【発明の詳細な説明】
【技術分野】
【０００１】
本発明は、建具の換気用の通路を開閉する換気用の弁や、建具の排水用の通路を開閉する排水用の弁などの建具用弁装置及び、その建具用弁装置を備えた建具に関する。
【背景技術】
【０００２】
建具においては、その建具枠の上枠や障子の上框などに室内と室外を連通する換気用の通路を形成し、その通路に換気用の弁を設けて換気装置とし、この換気用の弁が通路を開放することで室内と室外が連通して室内を換気すると共に、前記換気用の弁が通路を閉じることで雨水等が通路を流れて室内に浸入しないようにできる。
例えば、特許文献１に、建具枠の上枠に換気用の通路を形成し、この通路の途中に風動板を揺動自在に吊り下げて換気用の弁とし、通常時には風動板が自重で垂下して上枠凸板と離れて通路を開放し、その風動板に強風が作用することで揺動して上枠凸板に当接して通路を閉じるようにした換気装置が開示されている。
【特許文献１】実開昭５９−１５４５９８号公報
【発明の開示】
【発明が解決しようとする課題】
【０００３】
前述した従来の換気装置は、その換気用の弁である風動板が上枠凸板に当接する際に不快な音が発生するので、換気用の通路が閉じる際に不快な音が発生する。
特に、前述の風動板は強風で揺動されて上枠凸板に衝突するから、より大きな不快な音が発生する。
【０００４】
また、前述した従来の換気装置では、風動板と上枠凸板に気密材をそれぞれ取付け、風動板が揺動した時に気密材相互が当接するようにしているが、気密材相互が当接する際にも不快な音が発生するので、換気用の通路が閉じる際に不快な音が発生する。
【０００５】
本発明の目的は、通路を弁で開閉できると共に、その通路が閉じる際に不快な音が発生することがないようにした建具用弁装置及び、その弁装置を備えた建具とすることである。
【課題を解決するための手段】
【０００６】
本発明の建具用弁装置は、建具に形成した流体が流通する通路を弁で開放、閉じるようにした建具用弁装置であって、
前記通路よりも上方部分に、ほぼ半円形の凹陥部と、この凹陥部を通路に開口する開口部を有した溝形状の弁本体取付部を有し、前記通路よりも下方部分には弁本体当接部を有し、
前記弁の弁本体は、その一端部に被取付部を有し、他端部に当接部分を有すると共に、一端寄り部分は軟質材料で、当該一端寄り部分以外の部分が硬質材料で、
前記被取付部は、前記弁本体が設けられた円弧面と、この円弧面と連続した平面を有し、当該被取付部を変形して前記開口部を通して凹陥部内に開閉方向に回動可能に嵌まり合い、かつ前記凹陥部と当該被取付部の円弧面、平面との間に空間を形成する断面ほぼ半円形状で、
前記弁本体は、開閉方向に揺動自在に吊り下げて取り付けられ、この弁本体が閉じる方向に揺動することで、その弁本体の当接部分が前記弁本体当接部に当接して前記通路を閉じ、前記弁本体が開く方向に揺動することで、前記当接部分が前記弁本体当接部と離れて前記通路を開放し、
前記当接部分と弁本体当接部の少なくとも一方に、パイルを設けたことを特徴とする建具用弁装置である。
【０００７】
本発明においては、前記弁本体の当接部分にパイルを、前記弁本体当接部と対向して取付け、
前記弁本体は、自重により閉じる方向に揺動してパイルが弁本体当接部に接するようにできる。
このようにすれば、弁本体が閉じ方向に揺動することで、その弁本体の当接部分に設けたパイルが弁本体当接部に当接して通路を閉じるので、不快な音が発生することがない。
また、弁本体に外力が作用しない時にパイルが弁本体当接部に当接して通路を閉じているので、その弁本体が強風などの大きな外力で揺動されて弁本体当接部に当接することがなく、大きな外力が作用しても不快な音を発生することがない。
【００１０】
本発明の建具は、前述した本発明の建具用弁装置を備えた建具である。
【発明の効果】
【００１１】
本発明の建具用弁装置によれば、弁本体を開き方向、閉じ方向に揺動することで、弁本体の当接部分を弁本体当接部から離隔したり、当接して通路を開閉するから、通路を弁で開閉できる。
また、通路を閉じる際にはパイルが点接触で当接するので、不快な音が発生することがなく、通路を閉じる際に不快な音が発生することがない。
また、弁本体の一端部の被取付部を変形することで弁本体取付部の開口部を通して凹陥部に取付けることが可能である。
また、弁本体の一端寄り部分以外の部分が硬質材料であるから、弁本体は開閉方向に確実に揺動する。
【発明を実施するための最良の形態】
【００１２】
図１に示すように、建具枠１に障子２を開閉自在に装着して建具としてある。
前記建具枠１は、上枠３と下枠４と左右の縦枠５を方形状に連結してある。
前記障子２は上框６と下框７と左右の縦框８を方形状に連結し、その内部に面材９を装着してある。
図１に示す建具は、２枚の障子２を折り畳み自在とした折れ戸としてある。これに限ることはなく、開き戸、片引戸、３枚引戸等でも良い。
この実施の形態の建具は、浴室用の建具としてある。これに限ることはなく、室内と室外を仕切る出入口用の建具、窓用の建具等でも良い。
【００１３】
図２に示すように、前記建具は、空気、雨水等の流体が流通する通路、例えば上枠３に空気が流通する換気用の通路１０を有している。
この換気用の通路１０は、建具を境とした面外方向一側と面外方向他側、例えば、脱衣室側と浴室側を連通する。
前記建具、例えば、上枠３には通路１０を開閉する弁、例えば排気用の弁２０が取付けられ、本発明に係る建具用弁装置としてある。
【００１４】
前記弁２０は、弁本体２１の一端部を上枠３に通路１０を閉じる方向と開放する方向、例えば面外方向に揺動自在に取付け、その弁本体２１の他端部にパイル２２を設けたものである。
このパイル２２は細い線状片を多数有したもので、例えばモヘヤと呼ばれるものである。
前記弁本体２１が一端部を支点として面外方向一側方（閉じる方向）に揺動することで、前記パイル２２が上枠３に当接して通路１０を閉じる。
前記弁本体２１が一端部を支点として面外方向他側方（開く方向）、に揺動することで、前記パイル２２が上枠３と離れて通路１０を開放する。
前述の通路１０を閉じるとは、その通路１０に空気等の流体が流通しないようにすることで、通路１０を開放するとは、その通路１０に空気等の流体が流通することである。
【００１５】
このようであるから、弁本体２１が面外方向一側方に揺動することで、その弁本体２１に設けたパイル２２の多数の細い線状片が上枠３に点接触でそれぞれ当接するので、不快な音が発生することがない。
したがって、通路１０を閉じる際に不快な音が発生することがない建具用弁装置とすることができる。
この実施の形態では、弁本体２１の上枠３と当接する部分にパイル２２を設けたが、上枠３の弁本体２１が当接する部分にパイル２２を設けても良いし、両方に設けても良い。
要するに、弁本体２１と通路１０側の少なくともどちらか一方の当接する部分にパイル２２を設ければ良い。
【００１６】
この実施の形態では、弁本体２１は自重で面外方向一側方（閉じ方向）に揺動してパイル２２が上枠３に当接し、その弁本体２１に作用する外力、例えば面外方向一側と面外方向他側の圧力差により弁本体２１が面外方向他側方（開き方向）に揺動してパイル２２が上枠３から離れるので、その弁本体２１に大きな外力が作用しても不快な音が発生することがない。
この実施の形態は浴室用建具であって、浴室内の空気を屋外に排出して浴室内を換気する際に、浴室内の気圧が負圧となり、脱衣室内の気圧よりも低くなって圧力差が生じ、その圧力差で弁本体２１が面外方向他側方に揺動する。
【００１７】
次に、各部の具体形状の一例を図２〜図４に基づいて説明する。
前記上枠３における通路１０よりも上方部分に弁本体取付部３０を有し、その通路１０よりも下方部分に弁本体当接部４０を有している。
そして、弁本体２１の一端部（上端部）の被取付部２３を弁本体取付部３０に面外方向に回動自在に取付け、弁本体２１を面外方向に揺動自在に吊り下げてある。その弁本体２１の他端部（下端部）が、前記弁本体当接部４０に当接する当接部分２４で、その当接部分２４にパイル２２が取付けてある。
この実施の形態では、上枠３は面内方向外側部材３ａと面内方向内側部材３ｂを有し、その面内方向外側部材３ａと面内方向内側部材３ｂとは面内方向に離隔して両者の間に前述の換気用の通路１０を有している。
【００１８】
前記弁本体取付部３０は、図３に示すように、ほぼ半円形の凹陥部３１と、その凹陥部３１を通路１０に開口する開口部３２を有した溝形状で、この溝形状の弁本体取付部３０は上枠３の長手方向全長に連続している。
前記弁本体当接部４０は上下方向に向う平坦面４１を上枠３の長手方向全長に連続して有している。
前記弁本体２１は、図３、図４に示すように板状で、その一端部に設けた被取付部２３は、前記凹陥部３１内に面外方向に回動自在に嵌まり合う断面ほぼ半円形状で、その円弧面２３ａに弁本体２１が一体的に設けられていると共に、平面２３ｂが凹陥部３１の円弧内面３１ａと対向している。
前記凹陥部３１の円弧内面３１ａと被取付部２３の円弧面２３ａ、平面２３ｂとの間には空間３３が形成されている。
【００１９】
前記弁本体２１の他端部、つまり上枠３の弁本体当接部４０と対向した当接部分２４にパイル２２が設けてある。
このパイル２２は、基板２２ａに細い線状片２２ｂを多数植設したもので、その基板２２ａが弁本体２１の前述した当接部分２４に接着等で固着して取付けてある。なお、細い線状片２２ｂを弁本体２１の当接部分２４に直接植設するようにしても良い。
そして、パイル２２の多数の線状片２２ｂが弁本体当接部４０の平坦面４１に当接する。
【００２０】
前記弁本体２１は自重によって面外方向一側方（閉じる方向）に揺動して、パイル２２が弁本体当接部４０に当接した状態で保持されている。例えば、弁本体２１の揺動中心２１ａは、弁本体当接部４０よりも面外方向一側寄り（閉じ方向寄り）に位置している。
したがって、弁本体２１が振動などによって面外方向他側方に揺動することが抑制される。
【００２１】
前記弁本体２１は、その被取付部２３寄りの部分２１ｂが軟質材料で、残りの部分２１ｃは硬質材料である。
このようにすることで、被取付部２３を変形等して弁本体取付部３０に押し込んで取付けできる。したがって、建具を組立てた後に弁本体２１を取付け、取外しできるからメンテナンスが容易である。
つまり、弁本体取付部３０はアルミなどの硬質材料であるから、弁本体２１の被取付部２３が硬質材料であると建具を組立てた後に取付け、取外しができない。
また、弁本体２１の他の部分２１ｃが硬質材料であるから、弁本体２１は面外方向に確実に揺動する。
つまり、弁本体２１の全体が軟質材料であると、全体が湾曲してしまい、揺動しずらくなってしまう。
なお、弁本体２１の全体を硬質材料としても良い。
【００２２】
次に、本発明の試験例を説明する。
図３に示す上枠３を用い、弁本体２１を種々異なるものとして弁本体２１が上枠３の弁本体当接部４０に当接する時任意の条件下での音量（ｄＢ）を測定した。
図５（ａ）に示すように、パイル２２を設けない弁本体２１の場合には、音量が６６．０（ｄＢ）であった。
図５（ｂ）に示すように、パイル２２を設けないと共に、弁本体当接部２４を軟質材料とした弁本体２１の場合には、音量は６２．２（ｄＢ）であった。
図５（ｃ）に示すように、パイル２２の長さを１．５ｍｍとした弁本体２１の場合には、音量が５８．１（ｄＢ）であった。
図５（ｄ）に示すように、パイル２２の長さを２．０ｍｍとした弁本体２１の場合には、音量が５１．５（ｄＢ）であった。
【００２３】
これらのことから、弁本体２１にパイル２２を設けることで、弁本体当接部４０に当接する時に発生する音量を低くできることが判明した。
【００２９】
前述の各実施の形態では、弁本体２１は自重で閉じ方向に揺動し、外力で開き方向に揺動するようにしたが、その弁本体２１は外力で閉じ方向に揺動して通路を閉じ、外力がなくなると自重で開き方向に揺動するようにしても良い。
例えば、図３において、弁本体取付部３０を図示よりも面外方向他側寄りの位置に形成し、弁本体２１の揺動中心２１ａを弁本体当接部４０よりも面外方向他側（開き側）寄りとして外力が作用しない時には弁本体２１が垂れ下ってパイル２２が弁本体当接部４０から離れて通路１０を開放し、外力によって弁本体４０が面外方向一側に向けてパイル２２が弁本体当接部４０に当接し通路４０を閉じるようにする。
また、弁本体２１の重心が弁本体２１の揺動中心２１の真下にくるよりも前に弁本体２１の他端部分が弁本体当接部４０に当る位置に弁本体当接部４０を設けることで、弁本体２１が自重で閉じ方向に揺動してパイル２２が弁本体取付部４０に当接するようにしても良い。
【図面の簡単な説明】
【００３０】
【図１】本発明の実施の形態を示す建具の正面図である。
【図２】建具の縦断面図である。
【図３】通路部分の拡大図である。
【図４】弁の一部正面図である。
【図５】試験例に用いた各種の弁の説明図である。
【符号の説明】
【００３１】
１…建具枠、２…障子、３…上枠、４…下枠、１０…通路、１１…通路、２０…弁、２１…弁本体、２２…パイル、２３…被取付部、３０…弁本体取付部、４０…弁本体当接部。
【図１】
0004888907.tif 000002
【図２】
0004888907.tif 000003
【図３】
0004888907.tif 000004
【図４】
0004888907.tif 000005
【図５】
0004888907.tif 000006